(57)【特許請求の範囲】
【請求項１】
被写体を撮像するとともにこの撮像に係る撮像信号を出力する撮像手段と、
前記撮像情報を磁気テープに書き込んで記録する記録手段と、
記録及び再生のために前記磁気テープの送り作動及び巻き戻し作動を行う磁気テープ駆動手段と、
撮影者のスイッチ操作に基づいて撮像の撮り直しをするためのリテイク指令を発するリテイク指令発生手段と、
前記リテイク指令の発令に伴い、前記磁気テープに記録されているテープ位置情報に基づいて、前記磁気テープを、再生時にリテイクがどの程度行われているか確認でき且つ再度の書き込みを行えるように、直前の連続した撮像における書き込み開始位置の手前にまで強制的に戻すリテイク手段とを設けていることを特徴とする磁気記録再生装置。
【請求項２】
請求項１に記載の磁気記録再生装置において、前記リテイク指令発生手段を、撮像中に前記リテイク指令を発令できるように構成するとともに、このリテイク指令に基づいて、撮像及び磁気テープへの書き込みを停止し、次いで磁気テープをその撮像における書き込み開始位置の手前にまで強制的に戻すように構成していることを特徴とする磁気記録再生装置。
【請求項３】
請求項１に記載の磁気記録再生装置において、前記リテイク指令発生手段を、撮像の一時停止中に前記リテイク指令が発令できるように構成するとともに、このリテイク指令に基づいて、磁気テープを一時停止中の撮像における書き込み開始位置の手前にまで強制的に戻すように構成していることを特徴とする磁気記録再生装置。
【請求項４】
請求項１に記載の磁気記録再生装置において、前記リテイク指令発生手段を、撮像の一時停止でない停止中に前記リテイク指令が発令できるように構成するとともに、このリテイク指令に基づいて、磁気テープを停止直前の撮像における書き込み開始位置の手前にまで強制的に戻すように構成していることを特徴とする磁気記録再生装置。
【請求項５】
請求項１に記載の磁気記録再生装置において、前記リテイク指令に基づいて、直前の連続した撮像における書き込み開始位置の手前にまで前記磁気テープを戻すときの戻し動作の完了前、又は完了後に再復帰指令が入力されると、速やかに早送り動作を開始し、前記磁気テープを戻し動作開始位置近くに戻すように構成していることを特徴とする磁気記録再生装置。
【請求項６】
請求項１に記載の磁気記録再生装置において、ビューファインダ装置を備えるとともに、前記リテイク指令に基づいて、直前の連続した撮像における書き込み開始位置の手前にまで前記磁気テープを戻す時において、前記磁気テープの巻き取りカウント量に関して残り巻き戻し量を算出するとともに、戻し位置停止までの間の残り巻き戻し量を前記ビューファインダ装置に表示するように構成していることを特徴とする磁気記録再生装置。
【発明の詳細な説明】
【０００１】
【発明の属する技術分野】
本発明は、ビデオカメラなどの磁気記録再生装置に関し、詳しくは、被写体を撮像するとともにこの撮像に係る撮像信号を出力する撮像手段と、前記撮像情報を磁気テープに書き込んで記録する記録手段とを備えた磁気記録再生装置に関する。
【０００２】
【従来の技術】
カメラ一体型の磁気記録再生装置を用いて番組制作を行う際に、リポーターの言葉の誤り、カメラワークの失敗等で、明らかに素材として使用できないショットを記録した場合に、そのショットの記録開始点まで磁気テープを巻き戻すときには、従来、テープ巻き戻しモードで再生画をモニターしながら巻き戻し動作を行うしかなかった。
【０００３】
【発明が解決しようとする課題】
しかしこの方法では、記録開始点を過ぎて巻き戻しを行う虞があるとともに、必要なショットを誤って重ね書きしてしまう虞があった。また、慎重に記録開始点を探そうとすると、巻き戻しや再生を繰り返すので、時間的に制約があるとともに、結局は不要なショットを残したまま記録を進めることになるため、テープを必要以上に使うことになって、テープ残量が不当に少なくなってしまう、あるいは編集作業時に不要なショットも含めて編集を行ってしまうために、効率的な編集作業ができなくなるという問題があった。
【０００４】
本発明は前記従来の問題点を解決するものあって、ミスショットを撮影記録として別段残すことなく、磁気テープを有効利用できるようにするとともに、ビデオ撮影を効率的に行える磁気記録再生装置を提供することを目的とする。
【０００５】
【課題を解決するための手段】
この課題を解決するために本発明は、被写体を撮像するとともにこの撮像に係る撮像信号を出力する撮像手段と、前記撮像情報を磁気テープに書き込んで記録する記録手段と、記録及び再生のために前記磁気テープの送り作動及び巻き戻し作動を行う磁気テープ駆動手段と、撮影者のスイッチ操作に基づいて撮像の撮り直しをするためのリテイク指令を発するリテイク指令発生手段と、前記リテイク指令の発令に伴い、前記磁気テープに記録されているテープ位置情報に基づいて、前記磁気テープを、再生時にリテイクがどの程度行われているか確認でき且つ再度の書き込みを行えるように、直前の連続した撮像における書き込み開始位置の手前にまで強制的に戻すリテイク手段とを設けているように構成したものである。
【０００６】
これにより、撮像記録がミスショットである場合、撮影者によるリテイク指令発生手段のスイッチ操作によりリテイク指令を発令することによって、そのミスショットした撮像記録の撮像開始位置の手前にまで自動的に磁気テープを巻き戻すことができるので、その状態から再度撮像及び撮像記録が行えることになり、ミスショット分の撮像情報を磁気テープに残さないで済むようにできるとともに、再び撮像を開始するために磁気テープを巻き戻すことも簡易なものとなり、撮影時や編集時の作業能率を向上できる。また、磁気テープの戻し位置が、直前の連続した撮像における書き込み開始位置の手前となるように構成しているとしたものであり、リテイクを複数回行った場合にそのリテイクがどの程度行われているかの確認を再生することによって行える。
【０００７】
【発明の実施の形態】
本発明の請求項１に係る磁気記録再生装置は、被写体を撮像するとともにこの撮像に係る撮像信号を出力する撮像手段と、前記撮像情報を磁気テープに書き込んで記録する記録手段と、記録及び再生のために前記磁気テープの送り作動及び巻き戻し作動を行う磁気テープ駆動手段と、撮影者のスイッチ操作に基づいて撮像の撮り直しをするためのリテイク指令を発するリテイク指令発生手段と、前記リテイク指令の発令に伴い、前記磁気テープに記録されているテープ位置情報に基づいて、前記磁気テープを、再生時にリテイクがどの程度行われているか確認でき且つ再度の書き込みを行えるように、直前の連続した撮像における書き込み開始位置の手前にまで強制的に戻すリテイク手段とを設けているとしたものであり、撮影者が撮り直しをしたいときには、リテイク指令発生手段のスイッチ操作によってリテイク指令を発令すれば、それによって、その撮り直ししたい撮像の書き込み開始位置の手前にまで自動的に磁気テープを戻すことになるから、撮影者がわざわざ撮像情報の撮像開始位置を確認することなく、磁気テープの戻し作業を行わなくても良く、またリテイクを複数回行った場合にそのリテイクがどの程度行われているかの確認を再生することによって行えるとともに、書き込み開始位置よりも先の記録位置に戻らないようになっているから、撮り直ししたいショットのさらに前のショットが記録されている部分にまで戻ることによって、その前のショットの撮像情報の最後部分を不当に消滅させてしまうという不具合の発生も抑制できるという作用を有する。
【０００８】
本発明の請求項２に係る磁気記録再生装置は、請求項１に記載の磁気記録再生装置において、前記リテイク指令発生手段を、撮像中に前記リテイク指令を発令できるように構成するとともに、このリテイク指令に基づいて、撮像及び磁気テープへの書き込みを停止し、次いで磁気テープをその撮像における書き込み開始位置の手前にまで強制的に戻すように構成しているとしたものであり、撮像中に、その撮像を取り直したいと撮影者が判断したときには、リテイク指令発生手段のスイッチ操作によってリテイク指令を発令することで、撮像を停止し、次いで磁気テープを撮像開始位置の手前にまで自動的に戻すことになって、撮り直しを迅速に行えるという作用を有する。
【０００９】
本発明の請求項３に係る磁気記録再生装置は、請求項１に記載の磁気記録再生装置において、前記リテイク指令発生手段を、撮像の一時停止中に前記リテイク指令が発令できるように構成するとともに、このリテイク指令に基づいて、磁気テープを一時停止中の撮像における書き込み開始位置の手前にまで強制的に戻すように構成しているとしたものであり、撮像を一旦中断させているとき、すなわちポーズ状態にしているときに、撮り直しをしたいときには、撮影者によるリテイク指令発生手段のスイッチ操作によってリテイク指令を発令することで、その一時停止状態を解除して、次いで磁気テープを撮像開始位置の手前にまで自動的に戻すことになって、撮り直しを比較的迅速に行えるという作用を有する。
【００１０】
本発明の請求項４に係る磁気記録再生装置は、請求項１に記載の磁気記録再生装置において、前記リテイク指令発生手段を、撮像の一時停止でない停止中に前記リテイク指令が発令できるように構成するとともに、このリテイク指令に基づいて、磁気テープを停止直前の撮像における書き込み開始位置の手前にまで強制的に戻すように構成しているとしたものであり、ひとつのショットを撮像し終えた状態でそのショットを撮り直したいときには、撮影者によるリテイク指令発生手段のスイッチ操作によってリテイク指令を発令することで、その停止状態を解除して、次いで磁気テープを撮像開始位置の手前にまで自動的に戻すことになって、撮り直しを行えるという作用を有する。
【００１８】
本発明の請求項５に係る磁気記録再生装置は、請求項１に記載の磁気記録再生装置において、前記リテイク指令に基づいて、直前の連続した撮像における書き込み開始位置の手前にまで前記磁気テープを戻すときの戻し動作の完了前、又は完了後に再復帰指令が入力されると、速やかに早送り動作を開始し、前記磁気テープを戻し動作開始位置近くに戻すように構成しているとしたものであり、撮り直ししたいと思って一旦磁気テープを戻し作動させた場合や巻き戻した後でも、思い直してそのショットを残したい、あるいはそのショットを生かしてそのショットでの撮影を続けたいと思ったときには、再びその撮像ショットの撮像最後位置近くに戻すことができるという作用を有する。
【００１９】
本発明の請求項６に係る磁気記録再生装置は、請求項１に記載の磁気記録再生装置において、ビューファインダ装置を備えるとともに、前記リテイク指令に基づいて、直前の連続した撮像における書き込み開始位置の手前にまで前記磁気テープを戻す時において、前記磁気テープの巻き取りカウント量に関して残り巻き戻し量を算出するとともに、戻し位置停止までの間の残り巻き戻し量を前記ビューファインダ装置に表示するように構成しているとしたものであり、撮り直しをしたいために磁気テープを戻す際に、撮影者が磁気テープの戻り具合をビューファインダ装置を見ることで認識できるという作用を有する。
【００２０】
以下、本発明の一実施の形態であるについて図面に基づいて説明する。ここで、図１は本発明の一実施の形態における図である。
【００２１】
以下、本発明の一実施の形態であるビデオカメラについて図面に基づいて説明する。ここで、図１は本発明の一実施の形態におけるブロック図である。
【００２２】
図１に示すように、このビデオカメラは、被写体を撮像するとともにその撮像されて得られた撮像情報を出力するレンズユニット１、及び、撮影映像を光電変換する撮像管あるいは固体撮像素子からなる撮像情報変換部２で構成される撮像手段Ｓを設けているとともに、撮像情報変換部２から出力される撮像情報を入力して、記録媒体としての磁気テープ３に記録するための情報に変換し、その記録等の制御を行う主制御回路４を設けている。この主制御回路４は、入力された撮像情報を磁気テープ３に記録し、この磁気テープ３の記録された撮像情報を再生する回転磁気ヘッド５を記録作動や再生作動させる記録手段としての記録再生回路６と信号のやり取りができるように接続されている。
【００２３】
そして、図１に示すように、磁気テープ３の長手方向に設けられたＣＴＬトラックにＣＴＬ信号を記録再生するためのＣＴＬヘッド７を設けているとともに、このＣＴＬヘッド７へ信号を出力するＣＴＬ記録回路８とＣＴＬヘッド７から信号が入力されるＣＴＬ再生回路９とを設けている。ＣＴＬ記録回路８及びＣＴＬ再生回路９は、それぞれ、記録ＣＴＬカウンタ１０、再生ＣＴＬカウンタ１１を介して前記主制御回路４に接続されている。主制御回路４には、ビデオカメラの外装ケースに設けられた記録スタートストップキースイッチ１２からのスタート信号又はストップ信号が入力されるようにしている。また、同じく外装ケースに設けられたリテイク指令発生手段としてのリテイクスタートキースイッチ１３からのリテイク指令、つまりリテイク指令信号が主制御回路４に入力されるようにしている。さらに、主制御回路４は、図示しないリールモータを駆動するリールモータ駆動回路１４と、図示しないキャプスタンモータを駆動するキャプスタンモータ駆動回路１５とに、それぞれモータ制御信号を出力するモータ制御回路１６を接続している。ここで、リールモータ駆動回路１４、リールモータ、キャプスタンモータ駆動回路１５、キャプスタンモータ、モータ制御回路１６は、磁気テープ駆動回路Ｍを構成している。そして、主制御回路４には、後述するようにリテイク作動の制御を行うリテイク手段Ｒが設けられている。
【００２４】
主制御回路４は、記録スタートストップキースイッチ１２からスタート信号が入力されると、通常の撮像を行うとともに撮像情報の磁気テープ３への書き込みを開始する。その書き込みを停止するには、スタートストップキー１２を操作してストップ信号を主制御回路４に入力させることにより、主制御回路４はリールモータ及びキャプスタンモータを停止させるとともに、各ヘッドでの記録を停止する。また、ポーズスイッチＰをオン操作することで、撮像の一時停止をできるようになっている。そして、撮像途中において、撮像中のショットを撮り直したい場合には、撮影者はリテイクスタートキースイッチ１３をオン操作することになる。これにより、スイッチ１３からリテイク信号が主制御回路４に入力されて、この主制御回路４を通常の撮像モードからリテイクモードに状態を変更する。このリテイクモードになっていると、主制御回路４に備えられているリテイク手段Ｒが起動して、一旦リールモータ及びキャプスタンモータを停止するとともに、次いでＣＴＬパルスを読み取ってＣＴＬパルスのカウントを行い、そのカウント数が直前の撮像ショットにおける撮像開始位置におけるＣＴＬパルスまでのカウント数になったことがカウントアップされるとただちに磁気テープの巻き戻しを停止し、再度の撮像情報の書き込みを開始可能にする。
【００２５】
図２のフローチャートに従って詳述すると、撮影モード（ステップＳ１）であるとき、撮像の開始に伴い記録ＣＴＬカウンタ１０をカウント値がゼロとなるよう初期化し（ステップＳ２）、次いで、撮像情報の磁気テープ３への記録に伴い６０分の１秒毎にＣＴＬパルスを磁気テープ３のＣＴＬ信号用トラックに記録していくとともに、そのＣＴＬパルスの記録個数を、記録ＣＴＬカウンタ１０でカウントする（ステップＳ３）。そして、記録スタートストップキースイッチ１２が操作されて撮像情報の書き込みを停止、つまり記録停止すると、ＣＴＬパルスの読み取りを停止する（ステップＳ４，ステップＳ５）。このときの記録ＣＴＬカウンタ１０には、記録開始点から記録停止時までのＣＴＬパルスの個数が記憶されている。そして、その停止状態でリテイクスタートキースイッチ１３がオン操作されるとリテイクモードとなって（ステップＳ６）、再生ＣＴＬカウンタ１１をカウント値がゼロとなるよう初期化し（ステップＳ７）、次いで、リールモータを駆動させて磁気テープ３の巻き戻しを開始し（ステップＳ８）、再生ＣＴＬカウンタでカウントを開始する（ステップＳ９）。リテイク手段Ｒでは、再生ＣＴＬカウンタ１１のカウント値と、記録ＣＴＬカウンタ１０のカウント値とを常時比較し、その比較結果、両カウント値が一致したとき（ステップＳ１０）に直ちにリールモータを停止し、磁気テープ３の巻き戻しを停止するとともに、再生ＣＴＬカウンタのカウントも停止する（ステップＳ１１）。これにより、先の撮像ショットにおける撮像開始位置にまで、磁気テープ３を巻き戻して停止することになるので、ミスショット分を録画したまま残すことなく、再度撮像を行って再記録できることになる。
【００２６】
次に、別の実施の形態について図３に基づいて説明する。尚、上記実施の形態と同様の構造については説明を省略するとともに、同一符号を付す。
【００２７】
図３に示すように、磁気テープ３におけるタイムコードデータを記録再生できるようにするために、記録時にタイムコード発生回路２０から出力されたタイムコードデータは、記録再生回路６を経て回転磁気ヘッド５により磁気テープ３の所定の記録トラック位置に記録される。また、再生時には回転磁気ヘッド５により再生された信号からタイムコードデータを復調するタイムコード再生回路１９によりタイムコードデータが出力される。タイムコード再生回路１９から出力された再生タイムコードデータは主制御回路４に入力されるとともに、主制御回路４にはリテイク手段Ｒを設けている。
【００２８】
リテイク手段Ｒは、主制御回路４にリテイク指令が入力されると、撮像停止中であればその停止状態を解除して、次いで磁気テープ３を巻き戻すようにリールモータあるいはキャプスタンモータを駆動して、再生タイムコードデータを読み取りながら、直前の撮像ショットにおける撮像開始位置のタイムコードデータと一致すると、リールモータあるいはキャプスタンモータを停止し、その撮像開始位置から再度撮像情報を記録できるようにしている。
【００２９】
次に、さらに別の実施の形態について図４に基づいて説明する。尚、上記実施の形態と同様の構造については説明を省略するとともに、同一符号を付す。
【００３０】
図４に示すように、磁気テープ３におけるトラックナンバーデータを記録再生できるようにするために、記録時にトラックナンバー発生回路２３から出力されたトラックナンバーデータは記録再生回路６を経て、回転磁気ヘッド５により磁気テープ３の所定の記録トラック位置に記録される。また再生時には回転磁気ヘッド５により再生された信号からトラックナンバーデータを復調するトラックナンバー再生回路２２によりトラックナンバーデータが出力される。トラックナンバー再生回路２２から出力されたトラックナンバーデータは主制御回路４に入力されるとともに、主制御回路４にはリテイク手段Ｒを設けている。撮像開始時の最初のフィールドにおけるトラックナンバーデータを主制御回路４に記録する。主制御回路４では、リテイク指令が入力されると、撮像中であればその停止状態を解除して、次いでリールモータあるいはキャプスタンモータを駆動して、磁気テープ３を巻き戻し、その際に、トラックナンバーデータを読み取っていく。そして、直前の撮像ショットにおける撮像開始位置のトラックナンバーデータと一致すると、リールモータあるいはキャプスタンモータを停止し、その撮像開始位置から再度撮像情報を記録できるようにしている。
【００３１】
尚、リテイク指令の発令は、撮像停止中におけるリテイクスタートキースイッチ１３のオン操作のみならず、撮像を一時停止しているときのリテイクスタートキースイッチ１３のオン操作、あるいは、撮像中のリテイクスタートキースイッチ１３のオン操作によっても直前の撮像ショットの撮像開始位置への磁気テープ３の巻き戻しを行えるようにしても良い。撮像を一時停止しているときにリテイク指令が発令されたときは、一時停止状態を解除して、次いで磁気テープ３を一時停止の撮像ショットにおける撮像開始位置まで巻き戻して停止する制御を行う。また、撮像中にリテイク指令が発令されたときには、撮像及びその記録を停止した後、ただちにその撮像中のショットにおける撮像開始位置まで磁気テープ３を巻き戻して停止する制御を行う。
【００３２】
上記の実施の形態では、磁気テープの巻き戻し位置を直前の撮像ショットにおける撮像開始位置とほぼ一致するようにしていたが、その撮像開始位置より５シーンほど手前位置に巻き戻すように構成しても良い。すなわち、図５（ａ）に示すように、直前の撮像ショットにおける撮像記録開始位置にまで磁気テープ３を巻き戻さずに、その撮像記録開始位置近くでその開始位置の手前で巻き戻しを終了し、再度の撮像記録はその停止しているところから開始するのである。
【００３３】
上記の実施の形態では、直前の撮像ショットにおける撮像開始位置にまで磁気テープの巻き戻しを行って停止するだけのものを示したが、リテイク操作に伴って、直前の撮像ショットにおける撮像記録開始位置に巻き戻す毎にそのリテイク回数を磁気テープにおける再撮像開始位置にサブコード領域のデータの一部として別途記録しても良い。
【００３４】
そして、本発明に係るビデオカメラであって、ビューファインダ装置Ｖを備えるものに、サブコード領域のデータの一部として記録されたリテイク回数をこのビューファインダ装置Ｖに撮像情報のみならず表示するための表示制御手段を前記主制御回路に備えている。なお、このリテイク回数の表示は、撮像開始時間近くで短時間、例えば１０秒程度継続して行うようにしている。この表示によって、撮影者はリテイク回数を簡易に知ることができるので、便利である。
【００３５】
また、上記のことに関連して、磁気テープを再生したときにおいても、リテイク回数がモニターの画面上に表示できるように、そのリテイク回数を画面にスーパーインポーズするためのリテイク回数表示手段をビデオカメラに備えさせても良い。尚、このリテイク回数表示手段は、リテイク回数のみならず、例えば撮像記録されたもののタイトル等もリテイク回数と共に表示できる機能を備えるものでも良い。
【００３６】
また、リテイク指令によって磁気テープ３を巻き戻している途中にリテイクすることを止めて、元の撮像の最終記録位置へ再度戻すための自動復帰手段を設けても良い。詳述すると、自動復帰手段は、割り込み用操作スイッチをビデオカメラの外装ケースに設けているとともに、この割り込み用操作スイッチを、リテイクによる磁気テープの巻き戻し中もしくは巻き戻し完了後にオン操作をすれば、そのオン操作による再復帰指令信号が主制御回路４に入力され、それによって、リテイク手段Ｒは、図５（ｂ）に示すように、巻き戻し中の場合磁気テープの巻き戻し作動を停止させ、次いで早送り状態に切り換えて、リテイクを開始した位置まで磁気テープを早送りして停止するように構成される。
【００３７】
次に、ビューファインダ装置を備えたビデオカメラにおいて、磁気テープのカウント量を機械的にカウントするカウンタを設けているとともに、このカウンタのカウント値に基づいて、リテイクする際の磁気テープの残り戻り量をビューファインダ装置Ｖに表示できるようにしても良い。このように残り戻り量を表示することによって、撮影者の待機時間における退屈さを解消できるとともに、撮像内容の評価や反省等も行える。
【００３８】
尚、リテイク指令発生手段として、上記実施の形態では、リテイクスタートキースイッチを備えるものを示したが、キースイッチに替えて、押しボタンスイッチやトグルスイッチで構成しても良い。
【００３９】
【発明の効果】
以上のように、本発明によれば、撮像に失敗があったときには、その失敗した撮像情報を磁気テープに不必要に残すことなく、再度録画することができるので、磁気テープを有効に使うことができる。また、リテイク指令を発令するように、スイッチ等の操作を行うだけの簡易な操作で自動的に磁気テープを直前の撮像ショットの撮像開始位置の手前にまで巻き戻して停止させることができるので、効率良く撮像を行うことができる。さらに、リテイクを複数回行った場合に、そのリテイクがどの程度行われているかの確認を再生することによって行える等の効果を奏する。
【図面の簡単な説明】
【図１】本発明の一実施の形態におけるブロック図
【図２】本発明の一実施の形態におけるフローチャート
【図３】本発明の別の実施の形態におけるブロック図
【図４】本発明のさらに別の実施の形態におけるブロック図
【図５】リテイクに伴う磁気テープの戻し位置等を示す説明図
【符号の説明】
３    磁気テープ
６    記録手段
１３  リテイク指令発生手段
Ｍ    磁気テープ駆動手段
Ｒ    リテイク手段
Ｓ    撮像手段
Ｖ    ビューファインダ装置
【図１】
0003811601.tif 000002
【図２】
0003811601.tif 000003
【図３】
0003811601.tif 000004
【図４】
0003811601.tif 000005
【図５】
0003811601.tif 000006